(57)【要約】【課題】シールリップ６ｅの前方に配置される異物除去リップ１３ｄが摩耗しにくく、もって優れた異物シール性を発揮することが可能な密封装置１を提供する。【解決手段】回転軸３の回転に伴う遠心力による振り切り効果を発揮する異物除去リップ１３ｄをシールリップ６ｅの前方にて回転軸３側に取り付ける。異物除去リップ１３ｄは、回転軸３の外周に固定するスリーブ１２に保持され、その基端部１３ｅから先端部１３ｆへかけて径寸法を徐々に拡大するように形成され、かつシールリップ６ｅ側の金属環５の軸方向端面に摺動自在に密接する。【選択図】図１
2006046449.tif 000002
【特許請求の範囲】
【請求項１】
相手方に摺動自在に密接するシールリップ（６ｅ）を有する密封装置（１）において、
回転軸（３）の回転に伴う遠心力による振り切り効果を発揮する異物除去リップ（１３ｄ）を前記シールリップ（６ｅ）の前方にて前記回転軸（３）側に設けたことを特徴とする密封装置。
【請求項２】
請求項１の密封装置において、
異物除去リップ（１３ｄ）は、回転軸（３）の外周に固定するスリーブ（１２）に保持され、その基端部（１３ｅ）から先端部（１３ｆ）へかけて径寸法を徐々に拡大するように形成され、かつシールリップ（６ｅ）側の金属環（５）の軸方向端面に摺動自在に密接することを特徴とする密封装置。
【請求項３】
請求項２の密封装置において、
シールリップ（６ｅ）は、スリーブ（１２）の周面に摺動自在に密接することを特徴とする密封装置。
【発明の詳細な説明】
【技術分野】
【０００１】
本発明は、密封技術に係る密封装置に関し、更に詳しくは、異物シール性を向上させた密封装置に関するものである。本発明の密封装置は例えば、異物が発生しやすい減速機などに用いられる。
【背景技術】
【０００２】
減速機はその構造上、内部ギヤにおいて金属異物が発生しやすく、発生した金属異物がシールリップへ噛み込みやすい。したがってその結果、シールリップが摩耗してシール性が低下し、漏れ要因となることが多々発生している。
【０００３】
そこで従来、図４に示すように、密封装置を組立型シールとし、シールリップ５１の前方に異物除去リップ５２を設けた密封装置が開発されており、この従来技術によれば、異物除去リップ５２によってシールリップ５１を異物から保護することが可能とされている（特許文献１または２参照）。
【０００４】
しかしながら、この従来技術によると、異物除去リップ５２自体が回転軸の周面に摺動自在に密接するため、使用条件によっては、異物除去リップ５２の摩耗が促進され、結果、異物が侵入する虞がある。
【０００５】
【特許文献１】特開２０００−１１０９４６号公報
【特許文献２】特開２００１−９９３３０号公報
【発明の開示】
【発明が解決しようとする課題】
【０００６】
本発明は以上の点に鑑みて、シールリップの前方に配置される異物除去リップが摩耗しにくい構造であり、もって優れた異物シール性を発揮することが可能な密封装置を提供することを目的とする。
【課題を解決するための手段】
【０００７】
上記目的を達成するため、本発明の請求項１による密封装置は、相手方に摺動自在に密接するシールリップを有する密封装置において、回転軸の回転に伴う遠心力による振り切り効果を発揮する異物除去リップを前記シールリップの前方にて前記回転軸側に設けたことを特徴とするものである。
【０００８】
また、本発明の請求項２による密封装置は、上記した請求項１の密封装置において、異物除去リップは、回転軸の外周に固定するスリーブに保持され、その基端部から先端部へかけて径寸法を徐々に拡大するように形成され、かつシールリップ側の金属環の軸方向端面に摺動自在に密接することを特徴とするものである。
【０００９】
また、本発明の請求項３による密封装置は、上記した請求項２の密封装置において、シールリップは、スリーブの周面に摺動自在に密接することを特徴とするものである。
【００１０】
上記構成を備えた本発明の請求項１による密封装置においては、回転軸の回転に伴う遠心力による振り切り効果を発揮する異物除去リップがシールリップの前方にて回転軸側に設けられているために、この異物除去リップが回転時に発揮する振り切り効果によって、異物がこの異物除去リップに噛み込むのを抑制することが可能となる。
【００１１】
この振り切り効果を有効に発揮するには、請求項２に記載したように、異物除去リップは、回転軸の外周に固定するスリーブに保持され、その基端部から先端部へかけて径寸法を徐々に拡大するように形成され、かつシールリップ側の金属環の軸方向端面に摺動自在に密接するものとするのが好適であり、このような構造によると、回転数が増大するのに伴って、より大きな振り切り効果が発揮される。
【００１２】
また、請求項３に記載したように、シールリップをスリーブの周面に摺動自在に密接させる構造とすると、このシールリップはスリーブに密接するとともに異物除去リップはシールリップ側の金属環に密接する自己完結的なパック型シールが構成される。
【発明の効果】
【００１３】
本発明は、以下の効果を奏する。
【００１４】
すなわち、本発明の請求項１による密封装置においては、上記したように回転軸の回転に伴う遠心力による振り切り効果を発揮する異物除去リップがシールリップの前方にて回転軸側に設けられているために、この異物除去リップが発揮する振り切り効果によって、異物が異物除去リップに噛み込むのを抑制することが可能である。したがって所期の目的どおり、異物除去リップが摩耗しにくく、もって優れた異物シール性を発揮する密封装置を提供することができる。
【００１５】
また、本発明の請求項２による密封装置によれば、上記したところにより回転数が増大するのに伴って、より大きな振り切り効果が発揮されることから、異物シール性を一層向上させることができる。
【００１６】
また、本発明の請求項３による密封装置によれば、上記したところによりシールリップはスリーブに密接するとともに異物除去リップはシールリップ側の金属環に密接する自己完結的なパック型シールが構成されることから、シールリップの締め代設定が容易で、取り扱いも容易な密封装置を提供することができる。
【発明を実施するための最良の形態】
【００１７】
尚、本発明には、以下の実施形態が含まれる。
【００１８】
（１）異物除去対策として、軸に異物除去リップを付与したスリーブを取り付け、その遠心力および振り切り効果により、異物の侵入を防ぐ。
（２）異物除去対策として、異物除去リップ付きのスリーブを付与し、軸回転時の遠心力によるリップの振り切り効果により、異物除去能力を向上させる。
（３）異物除去リップをシール内環と摺動させる。
（４）異物除去リップをシール組み込み環と摺動させる。
（５）異物除去リップをシール内環と摺動させ、かつ主リップを軸と摺動させる。
【実施例】
【００１９】
つぎに本発明の実施例を図面にしたがって説明する。
【００２０】
第一実施例・・・
図１は、本発明の第一実施例に係る密封装置１の半裁断面を示している。
当該実施例に係る密封装置１は、減速機において、ハウジング２とこのハウジング２の軸孔２ａに挿通した回転軸３との間を密封するものであって、以下のように構成されている。尚、図における密封装置１の右側が密封流体の存する機内側Ａ、左側が機外側Ｂであって、機内側Ａの内部ギヤ（図示せず）において金属異物が発生しやすい。
【００２１】
当該密封装置１は、ハウジング２の軸孔２ａ内周に固定されるオイルシール４と、回転軸３の周面上に固定される異物除去シール１１との組み合わせによって構成されている。
【００２２】
オイルシール４は、金属環（内環）５と、この金属環５に被着されたゴム状弾性体６とよりなり、板金プレスにて成形された金属環５は、ハウジング２の軸孔２ａ内周に嵌合される外周筒部５ａと、この外周筒部５ａの機外側端部から径方向内方へ向けて一体成形された径方向長さの比較的長いフランジ部５ｂと、外周筒部５ａの機内側端部から径方向内方へ向けて一体成形された径方向長さの比較的短い環状の屈曲部５ｃとを一体に有している。尚、後記するように外周筒部５ａの外周面にはゴム状弾性体６の外周被着部６ａが被着されるので、外周筒部５ａはこの外周被着部６ａを介してハウジング２に嵌合される。
【００２３】
ゴム状弾性体６は、金属環５における外周筒部５ａの外周面に被着された外周被着部（外周シール部）６ａと、外周筒部５ａの内周面に被着された内周被着部６ｂと、フランジ部５ｂの機外側端面に被着された端面被着部６ｃと、フランジ部５ｂの内周端部に被着されたリップ部６ｄとを一体に有しており、リップ部６ｄに、機内側Ａを向いたシールリップ（主リップ）６ｅと、機外側Ｂを向いたダストリップ６ｆとが一体に成形されている。シールリップ６ｅには、シール面圧調整用のガータスプリング７が取り付けられている。尚、本発明では、シールリップ６ｅが向いている方向を密封装置１の前方と称している。
【００２４】
一方、異物除去シール１１は、オイルシール４の内周側に配置されたスリーブ１２と、このスリーブ１２に被着されたゴム状弾性体１３とよりなり、板金プレスにて成形されたスリーブ１２は、回転軸３の外周に嵌合される内周筒部１２ａと、この内周筒部１２ａの機内側端部から径方向外方へ向けて一体成形されたフランジ部１２ｂとを一体に有している。後記するように内周筒部１２ａの内周面にはゴム状弾性体１３の内周被着部１３ａが被着されるので、内周筒部１２ａはこの内周被着部１３ａを介して回転軸３に嵌合される。
【００２５】
ゴム状弾性体１３は、スリーブ１２における内周筒部１２ａの内周面に被着された内周被着部（内周シール部）１３ａと、フランジ部１２ｂの機内側端面に被着された端面被着部１３ｂと、フランジ部１２ｂの外周端部に被着されたリップ部１３ｃとを一体に有しており、リップ部１３ｃに、異物除去リップ１３ｄが一体に成形されている。
【００２６】
この異物除去リップ１３ｄは、スリーブ１２のフランジ部１２ｂの外周端部に保持され、リップ１３ｄの基端部１３ｅから先端部１３ｆへかけて径寸法を徐々に拡大するように形成され、かつオイルシール４における金属環５の屈曲部５ｃの機内側端面に摺動自在に密接している。
【００２７】
また、オイルシール３のシールリップ６ｅは、スリーブ１２の内周筒部１２ａの外周面に衝動自在に密接している。
【００２８】
上記構成の密封装置１は、機内側Ａの密封流体をシールリップ６ｅにてシールすることを主たる機能とするものであって、上記構成により以下の作用効果を奏する点に特徴を有している。
【００２９】
すなわち先ず、シールリップ６ｅの前方にて回転軸３側に異物除去リップ１３ｄが設けられて、この異物除去リップ１３ｄが回転に伴う遠心力による振り切り効果を発揮するよう構成されているために、この異物除去リップ１３ｄが発揮する振り切り効果によって、機内側Ａの異物を振り切ることができ、異物がこの異物除去リップ１３ｄに噛み込むのを抑制することができる。したがって、異物除去リップ１３ｄが異物によって摩耗しにくく、長期間に亙って異物シール作用を発揮するために、長期間に亙って異物除去リップ１３ｄによってシールリップ６ｅを保護することができる。
【００３０】
また、異物除去リップ１３ｄは、回転軸３の外周側に嵌合されるスリーブ１２のフランジ部１２ｂの外周端部に保持され、その基端部１３ｅから先端部１３ｆへかけて径寸法を徐々に拡大するよう斜めに形成され、かつオイルシール４における金属環５の屈曲部５ｃの機内側端面に摺動自在に密接するよう構成されているために、この異物除去リップ１３ｄは、回転数が増大するのに伴って、より大きな振り切り効果を発揮する。したがって、優れた異物シール性能を発揮する異物除去リップ１３ｄを提供することができる。
【００３１】
また、上記構成の密封装置１は、オイルシール４と異物除去シール１１との組み合わせよりなり、前者のオイルシール４におけるシールリップ６ｅが後者の異物除去シール１１におけるスリーブ１２に密接するとともに、後者の異物除去シール１１における異物除去リップ１３ｄが前者のオイルシール４における金属環５に密接する自己完結的なパック型シールを構成している。ここで自己完結的とは、密封装置の構成要素であるリップが同じ密封装置の構成部品に密接する構造となっていて、ハウジング２や回転軸３またはその他の周辺部品には密接しないようになっていることを云い、このような自己完結的なパック型シールには、ハウジンク２の軸孔２ａや回転軸３等の取付相手方の寸法精度に余り影響されずに任意にシールリップ６ｅの締め代を設定できることから、締め代設定が容易であり、また構成部品同士が互いに嵌合して一体化されることから、取り扱いも容易である特徴がある。したがって、上記したところにより優れた異物シール性を発揮するとともに、尚且つ締め代設定が容易で取り扱いも容易な密封装置１を提供することができる。
【００３２】
第二実施例・・・
図２は、本発明の第二実施例に係る密封装置１の半裁断面を示しており、当該実施例では、異物除去リップ１３ｄがオイルシール４の第二金属環（組み込み環）８に密接するように構成されている。
【００３３】
すなわち、オイルシール４における金属環５の外周筒部５ａの内周側であってゴム状弾性体６の内周被着部６ｂの内周側に第二金属環８が嵌合されており、この第二金属環８の端面に異物除去リップ１３ｄが密接している。
【００３４】
第二金属環８は、ゴム状弾性体６の内周被着部６ｂの内周側に嵌合される外周筒部８ａと、この外周筒部８ａの機内側端部から径方向内方へ向けて一体成形されたフランジ部８ｂとを一体に有しており、このフランジ部８ｂの機内側端面に異物除去リップ１３ｄが摺動自在に密接している。
【００３５】
この構造によれば、第二金属環８が配置され、更にそのフランジ部８ｂが径方向内方へ張り出している分、異物除去リップ１３ｄの径寸法ないし異物除去シール１１におけるスリーブ１２のフランジ部１２ｂの径寸法を縮小することができる。その他の構成は第一実施例と同じであるため、同一の符号を付して説明を省略する。
【００３６】
第三実施例・・・
図３は、本発明の第三実施例に係る密封装置１の半裁断面を示しており、当該実施例では、シールリップ６ｅが回転軸３の周面に直接密接するように構成されている。
【００３７】
すなわち当該実施例では、オイルシール４と異物除去シール１１とが径方向ではなく軸方向に並ぶように配置されており、このような軸方向配置において、オイルシール４におけるシールリップ６ｅが回転軸３の周面に直接密接するとともに、異物除去シール１１における異物除去リップ１３ｄがオイルシール４における金属環５に密接している。
【００３８】
異物除去シール１１のスリーブ１２は、回転軸３の外周に嵌合される内周筒部１２ａと、この内周筒部１２ａの機外側端部から径方向外方へ向けて一体成形されたフランジ部１２ｂとを一体に有している。
【００３９】
また、ゴム状弾性体１３は、スリーブ１２における内周筒部１２ａの内周面に被着された内周被着部１３ａと、フランジ部１２ｂの機外側端面に被着された端面被着部１３ｂと、フランジ部１２ｂの外周端部に被着されたリップ部１３ｃとを一体に有しており、リップ部１３ｃに、異物除去リップ１３ｄが一体に成形されている。
【００４０】
この構造によれば、上記した自己完結的なパック型シールではなくなるものの、密封装置１全体の径方向幅を縮小することができる。その他の構成は第一実施例と同じであるため、同一の符号を付して説明を省略する。
【図面の簡単な説明】
【００４１】
【図１】本発明の第一実施例に係る密封装置の半裁断面図
【図２】本発明の第二実施例に係る密封装置の半裁断面図
【図３】本発明の第三実施例に係る密封装置の半裁断面図
【図４】従来例に係る密封装置の半裁断面図
【符号の説明】
【００４２】
１  密封装置
２  ハウジング
２ａ  軸孔
３  回転軸
４  オイルシール
５，８  金属環
５ａ，８ａ  外周筒部
５ｂ，８ｂ，１２ｂ  フランジ部
５ｃ  屈曲部
６，１３  ゴム状弾性体
６ａ  外周被着部
６ｂ，１３ａ  内周被着部
６ｃ，１３ｂ  端面被着部
６ｄ，１３ｃ  リップ部
６ｅ  シールリップ
６ｆ  ダストリップ
７  ガータスプリング
１１  異物除去シール
１２  スリーブ
１２ａ  内周筒部
１３ｄ  異物除去リップ
１３ｅ  基端部
１３ｆ  先端部
Ａ  機内側
Ｂ  機外側
【図１】
2006046449.tif 000003
【図２】
2006046449.tif 000004
【図３】
2006046449.tif 000005
【図４】
2006046449.tif 000006